(57)【要約】      （修正有）【課題】自動腰部ツイスト減量運動器具を提供する。【解決手段】スイングアーム装置２０が、中心組立て部材２１により、両側のスイングアーム２２、２２´とともに、結合孔を利用して、基部内の組立て空間の貫通孔に組立てられ、両側のスイングアームのコンロッド部品２４が、固定端と組合せ部により、基部の組立て空間の両側にあるロック孔に螺着される。そのスイングアームの上方の末端にある枢着端が、平衡部の底側にある枢着空間内の貫通孔に組立てられる。また、該コンロッド部品の枢着部も、平衡部の枢着空間内の螺着孔に組立てられ、そのスイングアーム装置の適当な位置に連動棒が設置され、該連動棒のもう一方にある連動部品が連結端により、ペダルの底側に固定される。該連動棒が、コンロッド部品とともに、上下へ変位して位置ずれが発生し、その連動部品により、ペダルが、回転するように、スイング作動を行う。【選択図】図２
0003162160.tif 000002
【実用新案登録請求の範囲】
【請求項１】
内部に、組立て空間が形成され、両側壁に、貫通孔とロック孔が形成され、また、組立て空間の両側において、適当な位置に、それぞれ、ストッパーが設置される基部と、
中心組立て部材の両側において、それぞれ、傾斜状態で、スイングアームが設置され、スイングアームの上方が、螺着端になり、緩衝部品が組立てられ、該緩衝部品のもう一方に、固定端が形成され、コンロッド部品の上端部に、枢着部が設けられ、また、スイングアームに、コンロッド部品が組立てられ、コンロッド部品の上端部に、枢着部が設けられ、もう一端部に、組合せ部が設けられ、適当な位置に、更に、連動棒が設置され、該連動棒の一方に、引き押し棒と連結端及び組合端を有する連動部品が設けられるスイングアーム装置と、
上記スイングアーム装置に組立てられ、平衡部とペダルからなり、平衡部の底側に、枢着空間があり、両側壁に、貫通孔と螺着孔が形成され、その上端面の中央に、挿設部が設置され、ペダルの底側に、ターンテーブルが設置され、その中央に、挿設部が挿設されるための枢着軸が形成され、該ペダルに、組合部が設置されるペダル素子と、
が含有される
ことを特徴とする自動腰部ツイスト減量運動器具。
【請求項２】
上記連動棒が、スイングアーム装置の緩衝部品やコンロッド部品に組立てられることを特徴とする請求項１に記載の自動腰部ツイスト減量運動器具。
【請求項３】
内部に、組立て空間が形成され、両側壁に、貫通孔とロック孔が形成され、また、組立て空間の両側において、適当な位置に、それぞれ、ストッパーが設置される基部と、
中心組立て部材の両側において、それぞれ、傾斜状態で、スイングアームが設置され、スイングアームの上方が、螺着端になり、緩衝部品が組立てられ、該緩衝部品のもう一方に、固定端が形成され、コンロッド部品の上端部に、枢着部が設けられ、また、スイングアームに、コンロッド部品が組立てられ、コンロッド部品の上端部に、枢着部が設けられ、もう一端部に、組合せ部が設けられ、適当な位置に、更に、一体成型により、連動アームが形成され、また、該連動アームの一方に、引き押し棒と連結端及び組合端を有する連動部品が組立てられるスイングアーム装置と、
スイングアーム装置に組立てられ、平衡部とペダルからなり、平衡部の底側に、枢着空間があり、両側壁に、貫通孔と螺着孔が、形成され、その上端面の中央に、挿設部が設置され、ペダルの底側に、ターンテーブルが設置され、その中央に、挿設部が挿設されるための枢着軸が形成され、該ペダルに、組合部が設置されるペダル素子と、
が含有される
ことを特徴とする自動腰部ツイスト減量運動器具。    
【請求項４】
上記基部において、適当な位置に、上方へ伸びる握り部が設置されることを特徴とする請求項１又は３に記載の自動腰部ツイスト減量運動器具。
【請求項５】
上記中心組立て部材の上端面とスイングアームの適当な位置に、それぞれ、貫通孔とロック部が形成され、スイングアームが、螺着素子により、中心組立て部材の貫通孔に貫通してスイングアームのロック部に螺着されることにより、中心組立て部材に固定されることを特徴とする請求項１又は３に記載の自動腰部ツイスト減量運動器具。
【請求項６】
上記連結端と組合端が、自在継手や自在軸受であることを特徴とする請求項１又は３に記載の自動腰部ツイスト減量運動器具。
【請求項７】
上記ターンテーブルの枢着軸が、ロック部材により、平衡座の挿設部内に固定されることを特徴とする請求項１又は３に記載の自動腰部ツイスト減量運動器具。
【請求項８】
上記平衡部の中央に、軸受素子が組立てられた挿設部が開口され、該ペダルの底側にあるターンテーブルが、枢着軸により、平衡部の軸受素子に組立てられることを特徴とする請求項１又は３に記載の自動腰部ツイスト減量運動器具。
【請求項９】
上記ペダルの組合部が、ターンテーブルの適当な位置に組立てられることを特徴とする請求項１又は３に記載の自動腰部ツイスト減量運動器具。
【請求項１０】
上記連動アームのもう一方にある連動部品が、連結端で、ターンテーブルの適当な位置にある組合部に固定されることを特徴とする請求項９に記載の自動腰部ツイスト減量運動器具。
【考案の詳細な説明】
【技術分野】
【０００１】
本考案は、自動腰部ツイスト運動器具に関し、特に、ステップ機を踏んで上、下へ変位しながら、ペダルの左右へスイングすることにより、腰のひねりと臀部の揺動運動を行う自動腰部ツイスト減量運動器具に関する。
【背景技術】
【０００２】
既存の、従来のステッピング運動器具は、図１６で示すように、主として、一対のペダル４０の先端を、底部４１に枢着し、相対の連動機構で、両ペダル４０と油圧シリンダ４２を接続し、油圧シリンダ４２のダンピング作動により、上記の一対のペダル４０が、相対的に上下に揺動し、該ペダル４０が、上、下に交代に作動するようになり、また、油圧シリンダ４２が、ペダル４０に対し、適当な抵抗を発生して、運動のための力が増大されるという仕組みとされたものである。
【０００３】
しかしながら、従来のステップ運動器具は、実際に、運動の効果が、両足の運動だけに制限され、身体の他の部位に、運動効果があまり及ばないため、全体としての機能が未だ不足の状態にあった。
【考案の開示】
【考案が解決しようとする課題】
【０００４】
従って、本考案の課題は、ステッピング機構を利用して足部の運動にのみ限定されず、腰部ツイスト等の運動効果が得られる運動器具を提供する点にある。
【課題を解決するための手段】
【０００５】
そこで、本考案者は、従来のステッピング運動器具の欠点を解消し、本考案の課題を解決するため、鋭意検討を重ねたところ、下記に示す腰部ツイスト減量運動器具が腰のひねり及び臀部の揺動の運動効果が得られ、また、減量効果も得られることに着目し、かかる知見に基いて本考案に想到した。
【０００６】
すなわち、本考案の主な目的は、ユーザーがペダルを踏んで上下に作動する時、適当な位置に設置された連動棒が、連動されて上下に変位し、該連動棒のもう一方が、連動部品を介してペダルの底側に組立てられるため、ペダルが、コンロッド部品の上、下に変位するとともに、左右にスイングし、ステップ鍛錬の効果が得られるだけでなく、ペダルを踏むユーザーが、ペダルにより左右に揺動でき、腰のひねりや臀部の揺動の運動効果が得られる自動腰部ツイスト減量運動器具を提供することにある。
【０００７】
かくして本考案によれば、請求項１において、
内部に、組立て空間が形成され、両側壁に、貫通孔とロック孔が形成され、また、組立て空間の両側において、適当な位置に、それぞれ、ストッパーが設置される基部と、中心組立て部材の両側において、それぞれ、傾斜状態で、スイングアームが設置され、スイングアームの上方が、螺着端になり、緩衝部品が組立てられ、該緩衝部品のもう一側に、固定端が形成され、コンロッド部品の上端部に、枢着部が設けられ、また、スイングアームに、コンロッド部品が組立てられ、コンロッド部品の上端部に、枢着部が設けられ、もう一端部に、組合せ部が設けられ、適当な位置に、更に、連動棒が設置され、該連動棒の一方に、引き押し棒と連結端及び組合端を有する連動部品が設けられるスイングアーム装置と、
上記スイングアーム装置に組立てられ、平衡部とペダルからなり、平衡部の底側に、枢着空間があり、両側壁に、貫通孔と螺着孔が形成され、その上端面の中央に、挿設部が設置され、ペダルの底側に、ターンテーブルが設置され、その中央に、挿設部が挿設されるための枢着軸が形成され、該ペダルに、組合部が設置されるペダル素子と、が含有される、ことを特徴とする自動腰部ツイスト減量運動器具が提供される。
【０００８】
請求項２に係る考案によれば、
連動棒が、スイングアーム装置の緩衝部品及びコンロッド部品に組立てられることを特徴とする請求項１に記載の自動腰部ツイスト減量運動器具が提供される。
【０００９】
請求項３に係る考案によれば、
内部に、組立て空間が形成され、両側壁に、貫通穴とロック穴が形成され、また、組立て空間の両側において、適当な位置に、それぞれ、ストッパーがせっちされる基座と、中心組立て部材の両側において、それぞれ、傾斜状態で、スイングアームが設置され、スイングアームの上方が、螺着端になり、緩衝部品が組立てられ、該緩衝部品のもう一方に、固定端が形成され、コンロッド部品の上端部に、枢着部が設けられ、また、スイングアームに、コンロッド部品が組立てられ、コンロッド部品の上端部に、枢着部が設けられ、もう一端部に、組合せ部が設けられ、適当な位置に、更に、一体成型により、連動アームが形成され、また、該連動アームの一方に、引き押し棒と連結端及び組合端を有する連動部品が組立てられるスイングアーム装置と、スイングアーム装置に組立てられ、平衡部とペダルからなり、平衡部の底側に、枢着空間があり、両側壁に、貫通孔と螺着孔が、形成され、その上端面の中央に、挿設部が設置され、ペダルの底側に、ターンテーブルが設置され、その中央に、挿設部が挿設されるための枢着軸が形成され、該ペダルに、組合部が設置されるペダル素子と、が含有される、ことを特徴とする自動腰部ツイスト減量運動器具が提供される。
【００１０】
請求項４の考案によれば、
基部において、適当な位置に、上方へ伸びる握り部が設置されることを特徴とする請求項１又は３に記載の自動腰部ツイスト減量運動器具が提供される。
【００１１】
請求項５に係る考案によれば、
中心組立て部材の上端面とスイングアームの適当な位置に、それぞれ、貫通穴とロック部が形成され、スイングアームが、螺着素子により、中心組立て部材の貫通穴に貫通してスイングアームのロック部に螺着されることにより、中心組立て部材に固定されることを特徴とする請求項１又は３に記載の自動腰部ツイスト減量運動器具が提供される。
【００１２】
請求項６に係る考案によれば、
連結端と組合端が、自在継手や自在軸受であることを特徴とする請求項１か３に記載の自動腰部ツイスト減量運動器具が提供される。
【００１３】
請求項７に係る考案によれば、
ターンテーブルの枢着軸が、ロック部材により、平衡部の挿設部内に固定されることを特徴とする請求項１又は３に記載の自動腰部ツイスト減量運動器具が提供される。
【００１４】
請求項８に係る考案によれば、
平衡部の中央に、軸受素子が組立てられた挿設部が開口され、該ペダルの底側にあるターンテーブルが、枢着軸により、平衡部の軸受素子に組立てられることを特徴とする請求項１又は３に記載の自動腰部ツイスト減量運動器具が提供される。
【００１５】
請求項９に係る考案によれば、
ペダルの組合部が、ターンテーブルの適当な位置に組立てられることを特徴とする請求項１又は３に記載の自動腰部ツイスト減量運動器具が提供される。
【００１６】
請求項１０に係る考案によれば、
連動アームのもう一側にある連動部品が、連結端で、ターンテーブルの適当な位置にある組合部に固定されることを特徴とする請求項９に記載の自動腰部ツイスト減量運動器具が提供される。
【考案の効果】
【００１７】
本考案に係る自動腰部ツイスト運動器具は上記の構成からなり、使用者のペダルを踏む運動により、足部の運動と共に、腰部のツイスト運動を行なうことができ、腰をひねる運動及び臀部の揺動運動を効果的に行なうことができ、減量にも著しい効果を奏する。
【考案を実施するための最良の形態】
【００１８】
以下、図面を参照しながら、本考案の特徴及び技術内容について、詳しく説明する。もっとも、それらの図面等は、参考や説明のためであり、本考案は、それらによって限定されるものではない。
【００１９】
図１乃至図３を参照しながら、本考案に係る自動腰部ツイスト減量運動器具について説明する。
【００２０】
本考案に係る自動腰部ツイスト減量運動器具は、基部１０とスイングアーム装置２０及びペダル素子３０から構成される。基部１０は、Ｈ形状のフレームであり、その横方向の中央の内部に、凵形状の組立て空間１１が形成され、また、その両側壁に、貫通孔１１２とロック孔１１３とを形成してある。組立て空間１１の両側において、適当な位置に、それぞれ、ストッパー１２が設置され、該ストッパー１２を調整可能に、基部１０に螺着してある。
【００２１】
また、基座１０には、先端の適当な位置に、図４のように上方へ伸びる握り部１３が組立てられ、スイングアーム装置２０は、中心組立て部材２１の両側において、それぞれ、傾斜状態のスイングアーム２２、２２´が設置され、スイングアーム２２、２２´の上方に、緩衝部品２３とコンロッド部品２４及び連動棒２５が組立てられる。
【００２２】
中心組立て部材２１は、底端に、凹溝が形成され、両側壁に、結合孔２１１が形成され、上端面に、貫通孔２１２が貫設される。スイングアーム２２、２２´の上方が、螺着端２２１になり、緩衝部品２３が組立てられ、該緩衝部品２３のもう一方に、固定端２３１が形成され、そのスイングアーム２２、２２´の上方の末端に、枢着端２２２が形成され、そのスイングアーム２２´の一側端に、更に、中心組立て部材２１の結合孔２１１に位置するように、組着端２２３が設置される。
【００２３】
また、上端の適当な位置に、ロック部２２４が設けられ、また、螺着素子２２５が、中心組立て部材２１の貫通孔２１２に貫通してロック部２２４に螺着される。該スイングアーム装置２０の中心組立て部材２１と一側にあるスイングアーム２２´が、分離可能であるため、全体としての体積が低減される。これにより、運輸費用が節約される。
【００２４】
また、該両側にあるスイングアーム２２、２２´は、図５のように、直接に、中心組立て部材２１に固定されてもよい。コンロッド部品２４の上端部に、枢着部２４１が設置され、もう一端部に、組合せ部２４２が設けられ、連動棒２５の一方に、連動部品２６が組立てられる。
【００２５】
連動部品２６が、引き押し棒２６１と連結端２６２及び組合端２６３からなり、該連結端２６２と組合端２６３が、自在継手や自在軸受である。ペダル素子３０は、スイングアーム装置２０に組立てられ、平衡部３１とペダル３２からなり、平衡部３１の底側に、枢着空間３１１があり、両側壁に、貫通孔３１２と螺着孔３１３が形成され、その上端面の中央に、挿設部３１４が設置される。ペダル３２の底側に、ターンテーブル３２１が設置され、その中央に、挿設部３１４が挿設されるための枢着軸３２２が形成され、該ペダル３２やターンテーブル３２１の適当な位置に、組合部３２３が設置される。
【００２６】
また、該平衡部３１とペダル３２の組合は、他の実施形態があり、図６のように、その平衡部３１の中央に、軸受素子３１５が組立てられた挿設部３１４が開口され、また、該ペダル３２の底側に、ターンテーブル３２１が、枢着軸３２２により、平衡部３１の軸受素子３１５に組立てられる。
【００２７】
以上のように、図２と図３及び図７に示すように、スイングアーム装置２０は、中心組立て部材２１により、両側にあるスイングアーム２２、２２´とともに、結合孔２１１で、基座１０の組立て空間１１１の貫通穴１１２に組み立て、両側にあるスイングアーム２２、２２´の緩衝部品２３とコンロッド部品２４が、固定端２３１と組合せ部２４２により、基部１０の組立て空間１１１の両側にあるロック穴１１３に螺着され、そのスイングアーム２２、２２´の上方の末端にある枢着端２２２が、平衡座３１の底側にある枢着空間３１１内の貫通孔３１２に組立てられる。
【００２８】
また、該コンロッド部品２４の枢着部２４１も、平衡部３１の枢着空間３１１内に組立てられて、枢着空間３１１の螺着孔３１３に螺着され、その連動棒２５が、スイングアーム装置２０のコンロッド部品２４に組立てられる。
【００２９】
また、スイングアーム装置２０の任意の適当な位置に、例えば、スイングアーム２２や緩衝部品２３に組立ててもよく、該連動棒２５のもう一側にある連動部品２６が、連結端２６２により、ペダル３２やターンテーブル３２１の適当な位置にある組合部３２３に固定され、該連動棒２５が、スイングアーム装置２０に連動されて、上下に変位する時、その連動部品２６により、ペダル３２が、回転するスイング作動を行い、上記の構造により、新規の自動腰部ツイスト減量運動器具が構成される。
【００３０】
本考案によれば、図８と図９に示すように、そのスイングアーム装置２０は、中心組立て部材２１で、基部１０の組立て空間１１の貫通孔１１２に設置され、また、緩衝部品２３とコンロッド部品２４の固定端２３１と組合せ部２４２が、両側にあるロック孔１１３に組み立てられ、スイングアーム装置２０と組立て空間１１とが、傾斜する角度を形成し、また、スイングアーム２２の枢着端２２２とコンロッド部品２４の枢着部２４１とが、それぞれ、平衡座３１の貫通孔３１２と螺着孔３１３に組立てられ、スイングアーム２２とコンロッド部品２４と組立て空間１１と平衡部３１との間に四コネクティングロッド機構が形成される。
【００３１】
これにより、該ペダル３２を踏むことにより、上下にステップする作動状態が実現され、また、該スイングアーム装置２０の適当な位置にあるコンロッド部品２４に、連動棒２５が組立てられる。
【００３２】
また、該連動棒２５のもう一方にある連動部品２６が、連結端２６２で、ペダル３２やターンテーブル３２１の適当な位置にある組合部３２３に固定されるため、該ステップ機を使用する場合、スイングアーム装置２０が上下に作動される時、そのスイングアーム２２とコンロッド部品２４は、四コネクティングロッド原理により位置ずれが発生し、図１０のように、使用中、一方のペダル３２が踏まれて下へ作動する時、コンロッド部品２４に固定された連動棒２５が、連動されて下へ変位する。これにより、連動棒２５のもう一方に組立てられた連動部品２６により、外方へ引っ張られる力が発生し、引き押し棒２６１と連結端２６２を利用して、外方へ引っ張られる力により、連結端２６２において、横方向に回転する現象が発生する。そのため、ペダル３２の組合部３２３が、枢着軸３２２を中心として、外方へ引っ張られる。また、もう一方のペダル３２´が、連動されて上方へ作動し、そのコンロッド部品２４が、上方へ変位するため、連動棒２５が、連動されて上方へ伸び、連動棒２５のもう一方にある連動部品２６に、内方へ押す力が発生する。
【００３３】
また、引き押し棒２６１と連結端２６２を利用して、内へ押す力が、連結端２６２において、横方向に回転する現象が発生する。
【００３４】
そのため、ペダル３２´の組合部３２３が、枢着軸３２２を中心として、内方へ押され、これにより、図１１に示すように、両側にあるペダル３２、３２´が、同期に逆時計回りに左へスイングする運動を行う。この時、図１２のように、上方へ作動するペダル３２´を下方へ踏むと、そのスイングアーム２２´側にあるコンロッド部品２４が、下方へ連動されて、コンロッド部品２４に組立てられた連動棒２５が、下方へ変位し、コンロッド部品２４のもう一方にある連動部品２６に、外方へ引っ張られる力が発生し、引き押し棒２６１と連結端２６２を利用して、該外方へ引っ張られる力が、連結端２６２において、横方向に回転する現象が発生する。
【００３５】
そのため、該ペダル３２´の組合部３２３が、枢着軸３２２を中心として、外方へ回転し、そのもう一方のペダル３２も、同期に上方へ作動し、その側にあるコンロッド部品２４と連動棒２５が、連動されて上方へ変位し、連動棒２５に、内方へ押される力が発生し、引き押し棒２６１と連結端２６２を利用して、該ペダル３２の組合部３２３が、枢着軸３２２を中心として、内方へ回転し、横方向に回転するようになる。
【００３６】
これにより、ペダル３２が、図１３のように、同期に順時計回りに右へスイングする運動を行い、上記の構造により、該ステップ機を踏んで上下に作動する時、ステップ鍛錬の効果だけでなく、ペダル３２を踏むユーザーが、ペダル３２とともに、左右に揺動でき、左右に腰ひねり及び臀部の揺動を繰り返す運動効果が得られる。
【００３７】
図１４と図１５は、本考案の他の実施形態であり、該スイングアーム装置２０は、中心組立て部材２１の両側に、それぞれ、傾斜状態で、スイングアーム２２、２２´が設置され、スイングアーム２２、２２´に、更に、緩衝部品２３とコンロッド部品２４が組立てられる。
【００３８】
中心組立て部材２１は、底端に、凹溝が形成され、両側壁に、結合孔２１１が形成され、上端面に、貫通孔２１２が貫設され、スイングアーム２２、２２´の上方が、螺着端２２１になり、緩衝部品２３が組立てられ、該緩衝部品２３のもう一方に、固定端２３１が形成され、そのスイングアーム２２、２２´の上方の末端に、枢着端２２２が形成される。そのスイングアーム２２´の下端に、更に、中心組立て部材２１の結合孔２１１に位置するように、組着端２２３が設置される。コンロッド部品２４の上端部に、枢着部２４１が設けられ、もう一端部に、組合せ部２４２が設けられ、該コンロッド部品２４の適当な位置に、一体成型により、連動アーム２４３が伸び、該連動アーム２４３の一方に、引き押し棒２６１と連結端２６２及び組合端２６３からなる連動部品２６が組立てられる。該スイングアーム装置２０とペダル素子３０の平衡座３１とが組み合わされた後、そのコンロッド部品２４に一体成型された連動アーム２４３も、連動部品２６に組立てられる。
【００３９】
また、連動部品２６のもう一方にある連結端２６２が、ペダル３２やターンテーブル３２１の適当な位置にある組合部３２３に固定され、これにより、該連動アーム２４３が、スイングアーム装置２０とともに、上下に変位する時、その連動部品２６により、ペダル３２が回転するスイング作動を行い、上記の構造により、新規の自動腰撚り減重運動機が構成される。
【００４０】
上記の具体的な実施形態によれば、次の利点が得られ、本考案による自動腰部ツイスト減量運動器具は、スイングアーム装置２０の適当な位置に、それぞれ、連動棒２５が設置され、スイングアーム装置２０が、ユーザーがペダル３２を踏むことにより、上下に作動する時、その適当な位置にある連動棒２５が、連動されて上下へ変位し、また、該連動棒２５のもう一側が、連動部品２６により、ペダル３２の底側に組立てられるため、該ペダル３２が、コンロッド部品２４の上下へ変位することと同期に左右へスイングし、ステップ鍛錬の効果だけでなく、ペダル３２を踏むユーザーが、ペダル３２とともに、左右に揺動でき、腰ひねりや臀部の揺動の運動効果が得られる。
【００４１】
上記の通り、本考案は、より進歩的かつより実用的であることは明らかであり、法に従って実用新案登録を求める。
【００４２】
以上は、本考案のより良い実施形態であり、本考案は、それらによって限定されるものではなく、本考案に係わる考案登録請求の範囲や明細書の内容に基づいて行った等価の変更や修正は、全てが、本考案の範囲内に含まれることは明らかである。
【図面の簡単な説明】
【００４３】
【図１】本考案の一実施形態による自動腰部ツイスト減量運動器具の斜視図である。
【図２】本考案の一実施形態による自動腰部ツイスト減量運動器具の分解斜視図である。
【図３】本考案一実施形態による自動腰部ツイスト減量運動器具のペダル素子とスイングアーム装置の分解斜視図である。
【図４】本考案の一実施形態による自動腰部ツイスト減量運動器具の握り部の概念図である。
【図５】本考案の他の実施形態による自動腰部ツイスト減量運動器具の分解斜視図である。
【図６】本考案の一実施形態による自動腰部ツイスト減量運動器具のペダル素子の他の実施形態の組立て図である。
【図７】本考案の一実施形態による自動腰部ツイスト減量運動器具のスイングアーム装置とペダル素子の局部拡大概念図である。
【図８】本考案の一実施形態による自動腰部ツイスト減量運動器具の作動していない状態の平面概念図である。
【図９】本考案のペダルが作動していない状態の平面概念図である。
【図１０】本考案の一実施形態による自動腰部ツイスト減量運動器具のステップ作動によりペダルが逆時計回りに回転する状態の概念図である。
【図１１】本考案の一実施形態による自動腰部ツイスト減量運動器具のペダルが左へ動揺する状態の作動概念図である。
【図１２】本考案の一実施形態による自動腰部ツイスト減量運動器具のステップ作動によりペダルが順時計回りに回転する状態の概念図である。
【図１３】本考案のペダルが右へ動揺する状態の作動概念図である。
【図１４】本考案の他の実施形態による自動腰部ツイスト減量運動器具の分解斜視図である。
【図１５】本考案の一実施形態による自動腰部ツイスト減量運動器具の他の実施例の作動していない状態の平面概念図である。
【図１６】従来のステッピング運動器具の斜視図である。
【符号の説明】
【００４４】
本考案に係る運動器具
１０          基部
１１          組立て空間
１１１        組立て空間
１１２        貫通孔
１１３        ロック孔
１２          ストッパー
１３          握り部
２０          スイングアーム装置
２１          中心組立て部材
２１１        結合孔
２１２        貫通孔
２２、２２´  スイングアーム
２２１        螺着端
２２２        枢着端
２２３        組着端
２２４        ロック部
２２５        螺着素子
２３          緩衝部品
２３１        固定端
２４          コンロッド部品
２４１        枢着部
２４２        組合せ部
２４３        連動アーム
２５          連動棒
２６          連動部品
２６１        引き押し棒
２６２        連結端
２６３        組合端
３０          ペダル素子
３１          平衡部
３１１        枢着空間
３１２        貫通孔
３１３        螺着孔
３１４        挿設部
３１５        軸受素子
３２、３２´  ペダル
３２１        ターンテーブル
３２２        枢着軸
３２３        組合部
従来のステッピング運動器具
４０          ペダル
４１          底部
４２          油圧シリンダ
【図１】
0003162160.tif 000003
【図２】
0003162160.tif 000004
【図３】
0003162160.tif 000005
【図４】
0003162160.tif 000006
【図５】
0003162160.tif 000007
【図６】
0003162160.tif 000008
【図７】
0003162160.tif 000009
【図８】
0003162160.tif 000010
【図９】
0003162160.tif 000011
【図１０】
0003162160.tif 000012
【図１１】
0003162160.tif 000013
【図１２】
0003162160.tif 000014
【図１３】
0003162160.tif 000015
【図１４】
0003162160.tif 000016
【図１５】
0003162160.tif 000017
【図１６】
0003162160.tif 000018
【手続補正書】
【提出日】平成22年2月24日(2010.2.24)
【手続補正１】
【補正対象書類名】実用新案登録請求の範囲
【補正対象項目名】全文
【補正方法】変更
【補正の内容】
【実用新案登録請求の範囲】
【請求項１】
内部に、組立て空間が形成され、両側壁に、貫通孔とロック孔が形成され、また、組立て空間の両側において、適当な位置に、それぞれ、ストッパーが設置される基部と、
該基部に固設された前記組立て空間に連結された中心組立て部材を介して、前記基部と連結されたスイングアーム装置であって、該中心組立て部材の両側において、それぞれ、傾斜状態で、スイングアームが設置され、スイングアームの上方が、螺着端になり、緩衝部品が組立てられ、該緩衝部品のもう一方に、固定端が形成され、コンロッド部品の上端部に、枢着部が設けられ、また、スイングアームに、コンロッド部品が組立てられ、コンロッド部品の上端部に、枢着部が設けられ、もう一端部に、組合せ部が設けられ、適当な位置に、更に、連動棒が設置され、該連動棒の一方に、引き押し棒と連結端及び組合端を有する連動部品が設けられるスイングアーム装置と、
上記スイングアーム装置に組立てられ、平衡部とペダルからなり、平衡部の底側に、枢着空間があり、両側壁に、貫通孔と螺着孔が形成され、その上端面の中央に、挿設部が設置され、ペダルの底側に、ターンテーブルが設置され、その中央に、挿設部が挿設されるための枢着軸が形成され、該ペダルに、組合部が設置されるペダル素子と、
が含有される
ことを特徴とする自動腰部ツイスト減量運動器具。
【請求項２】
上記連動棒が、スイングアーム装置の緩衝部品やコンロッド部品に組立てられることを特徴とする請求項１に記載の自動腰部ツイスト減量運動器具。
【請求項３】
内部に、組立て空間が形成され、両側壁に、貫通孔とロック孔が形成され、また、組立て空間の両側において、適当な位置に、それぞれ、ストッパーが設置される基部と、
該基部に固設された前記組立て空間に連結された中心組立て部材を介して、前記基部と連結されたスイングアーム装置であって、該中心組立て部材の両側において、それぞれ、傾斜状態で、スイングアームが設置され、スイングアームの上方が、螺着端になり、緩衝部品が組立てられ、該緩衝部品のもう一方に、固定端が形成され、コンロッド部品の上端部に、枢着部が設けられ、また、スイングアームに、コンロッド部品が組立てられ、コンロッド部品の上端部に、枢着部が設けられ、もう一端部に、組合せ部が設けられ、適当な位置に、更に、一体成型により、連動アームが形成され、また、該連動アームの一方に、引き押し棒と連結端及び組合端を有する連動部品が組立てられるスイングアーム装置と、
スイングアーム装置に組立てられ、平衡部とペダルからなり、平衡部の底側に、枢着空間があり、両側壁に、貫通孔と螺着孔が、形成され、その上端面の中央に、挿設部が設置され、ペダルの底側に、ターンテーブルが設置され、その中央に、挿設部が挿設されるための枢着軸が形成され、該ペダルに、組合部が設置されるペダル素子と、
が含有される
ことを特徴とする自動腰部ツイスト減量運動器具。 
【請求項４】
上記基部において、適当な位置に、上方へ伸びる握り部が設置されることを特徴とする請求項１又は３に記載の自動腰部ツイスト減量運動器具。
【請求項５】
上記中心組立て部材の上端面とスイングアームの適当な位置に、それぞれ、貫通孔とロック部が形成され、スイングアームが、螺着素子により、中心組立て部材の貫通孔に貫通してスイングアームのロック部に螺着されることにより、中心組立て部材に固定されることを特徴とする請求項１又は３に記載の自動腰部ツイスト減量運動器具。
【請求項６】
上記連結端と組合端が、自在継手や自在軸受であることを特徴とする請求項１又は３に記載の自動腰部ツイスト減量運動器具。
【請求項７】
上記ターンテーブルの枢着軸が、ロック部材により、平衡座の挿設部内に固定されることを特徴とする請求項１又は３に記載の自動腰部ツイスト減量運動器具。
【請求項８】
上記平衡部の中央に、軸受素子が組立てられた挿設部が開口され、該ペダルの底側にあるターンテーブルが、枢着軸により、平衡部の軸受素子に組立てられることを特徴とする請求項１又は３に記載の自動腰部ツイスト減量運動器具。
【請求項９】
上記ペダルの組合部が、ターンテーブルの適当な位置に組立てられることを特徴とする請求項１又は３に記載の自動腰部ツイスト減量運動器具。
【請求項１０】
連動アームのもう一方にある連動部品が、連結端で、ターンテーブルの適当な位置にある組合部に固定されることを特徴とする請求項９に記載の自動腰部ツイスト減量運動器具。
【手続補正書】
【提出日】平成22年6月22日(2010.6.22)
【手続補正１】
【補正対象書類名】実用新案登録請求の範囲
【補正対象項目名】全文
【補正方法】変更
【補正の内容】
【実用新案登録請求の範囲】
【請求項１】
内部に、組立て空間が形成され、両側壁に、貫通孔とロック孔が形成され、また、組立て空間の両側において、適当な位置に、それぞれ、ストッパーが設置される基部と、
該基部に固設された前記組立て空間に連結された中心組立て部材を介して、前記基部と連結されたスイングアーム装置であって、該中心組立て部材の両側において、それぞれ、傾斜状態で、スイングアームが設置され、スイングアームの上方が、螺着端になり、緩衝部品が組立てられ、該緩衝部品のもう一方に、固定端が形成され、コンロッド部品の上端部に、枢着部が設けられ、また、スイングアームに、コンロッド部品が組立てられ、コンロッド部品の上端部に、枢着部が設けられ、もう一端部に、組合せ部が設けられ、適当な位置に、更に、連動棒が設置され、該連動棒の一方に、引き押し棒と連結端及び組合端を有する連動部品が設けられるスイングアーム装置と、
上記スイングアーム装置に組立てられ、平衡部とペダルからなり、平衡部の底側に、枢着空間があり、両側壁に、貫通孔と螺着孔が形成され、その上端面の中央に、挿設部が設置され、ペダルの底側に、ターンテーブルが設置され、その中央に、挿設部が挿設されるための枢着軸が形成され、該ペダルに、組合部が設置されるペダル素子と、
が含有される
ことを特徴とする自動腰部ツイスト減量運動器具。
【請求項２】
上記連動棒が、スイングアーム装置の緩衝部品やコンロッド部品に組立てられることを特徴とする請求項１に記載の自動腰部ツイスト減量運動器具。
【請求項３】
内部に、組立て空間が形成され、両側壁に、貫通孔とロック孔が形成され、また、組立て空間の両側において、適当な位置に、それぞれ、ストッパーが設置される基部と、
該基部に固設された前記組立て空間に連結された中心組立て部材を介して、前記基部と連結されたスイングアーム装置であって、該中心組立て部材の両側において、それぞれ、傾斜状態で、スイングアームが設置され、スイングアームの上方が、螺着端になり、緩衝部品が組立てられ、該緩衝部品のもう一方に、固定端が形成され、コンロッド部品の上端部に、枢着部が設けられ、また、スイングアームに、コンロッド部品が組立てられ、コンロッド部品の上端部に、枢着部が設けられ、もう一端部に、組合せ部が設けられ、適当な位置に、更に、一体成型により、連動アームが形成され、また、該連動アームの一方に、引き押し棒と連結端及び組合端を有する連動部品が組立てられるスイングアーム装置と、
スイングアーム装置に組立てられ、平衡部とペダルからなり、平衡部の底側に、枢着空間があり、両側壁に、貫通孔と螺着孔が、形成され、その上端面の中央に、挿設部が設置され、ペダルの底側に、ターンテーブルが設置され、その中央に、挿設部が挿設されるための枢着軸が形成され、該ペダルに、組合部が設置されるペダル素子と、
が含有される
ことを特徴とする自動腰部ツイスト減量運動器具。 
【請求項４】
上記基部において、適当な位置に、上方へ伸びる握り部が設置されることを特徴とする請求項１又は３に記載の自動腰部ツイスト減量運動器具。
【請求項５】
上記中心組立て部材の上端面とスイングアームの適当な位置に、それぞれ、貫通孔とロック部が形成され、スイングアームが、螺着素子により、中心組立て部材の貫通孔に貫通してスイングアームのロック部に螺着されることにより、中心組立て部材に固定されることを特徴とする請求項１又は３に記載の自動腰部ツイスト減量運動器具。
【請求項６】
上記連結端と組合端が、自在継手や自在軸受であることを特徴とする請求項１又は３に記載の自動腰部ツイスト減量運動器具。
【請求項７】
上記ターンテーブルの枢着軸が、ロック部材により、平衡座の挿設部内に固定されることを特徴とする請求項１又は３に記載の自動腰部ツイスト減量運動器具。
【請求項８】
上記平衡部の中央に、軸受素子が組立てられた挿設部が開口され、該ペダルの底側にあるターンテーブルが、枢着軸により、平衡部の軸受素子に組立てられることを特徴とする請求項１又は３に記載の自動腰部ツイスト減量運動器具。
【請求項９】
上記ペダルの組合部が、ターンテーブルの適当な位置に組立てられることを特徴とする請求項１又は３に記載の自動腰部ツイスト減量運動器具。
【請求項１０】
連動アームのもう一方にある連動部品が、連結端で、ターンテーブルの適当な位置にある組合部に固定されることを特徴とする請求項３に記載の自動腰部ツイスト減量運動器具。